(57)【要約】      （修正有）【課題】二酸化塩素製品の使用期間を長くして、その二酸化塩素による強力な殺菌力を利用することができるようにした除菌装置、除菌スプレー及び歯ブラシ除菌装置を提供する。【解決手段】除菌装置は、水Ｗを封入したボトルと、このボトルの所定部位に分離体を介して接続され、錠剤又は粉末状の二酸化塩素を伸張状態で封入した伸縮性容器３と、を備え、伸縮性容器３が縮小状態とされる動作に連動して分離体を破壊することにより伸縮性容器３内の二酸化塩素をボトル内の水Ｗの中に投入するように構成したものである。【選択図】図１
0003178052.tif 000002
【実用新案登録請求の範囲】
【請求項１】
錠剤又は粉末状の二酸化塩素を水に溶かした状態で使用する除菌装置であって、
水を封入した本体と、
本体の所定部位に分離体を介して接続され、錠剤又は粉末状の二酸化塩素を伸張状態で封入した伸縮性容器と、を備え、
前記伸縮性容器が縮小状態とされる動作に連動して前記分離体を破壊することにより該伸縮性容器内の二酸化塩素を前記本体内の水中に投入するようにしたことを特徴とする除菌装置。
【請求項２】
前記伸縮性容器の前記本体との接続部と反対側に、該伸縮性容器が押圧されて縮小状態とされる動作により、前記分離体に突き刺さって該分離体を破壊するピンを備えたことを特徴とする請求項１記載の除菌装置。
【請求項３】
前記請求項１又は２記載の除菌装置の本体として、前記二酸化塩素の水溶液を噴霧するスプレーノズルを備えたスプレー本体で構成し、前記伸縮性容器を該スプレー本体の上面に取り付けたことを特徴とする除菌スプレー。
【請求項４】
前記請求項３記載の除菌スプレーに歯ブラシを立てかける歯ブラシ立てを備え、この歯ブラシ立てに立てかけた歯ブラシのブラシ部分に、前記スプレーノズルから噴霧された二酸化塩素の水溶液がかかるように構成したことを特徴とする除菌スプレーを用いた歯ブラシ除菌装置。
【請求項５】
前記歯ブラシ立てが前記スプレー本体に収脱自在となるように、前記歯ブラシ立ての前記スプレー本体に対する取り付け角度を可変としたことを特徴とする請求項４記載の除菌スプレーを用いた歯ブラシ除菌装置。
【考案の詳細な説明】
【技術分野】
【０００１】
本考案は、除菌装置、除菌スプレー及び歯ブラシ除菌装置に関するものであって、特に二酸化塩素を水に溶かして用いるものに好適である。
【背景技術】
【０００２】
近年、介護施設などにおいて、被介護者が使用した歯ブラシの除菌の必要性が強く認識されており、その除菌手段が各種提案されている。例えば特許文献１では、塩素を含む又は電解補助剤を加えた水を電気分解する電解槽を具えており、前記電解槽で生成された電解水を歯ブラシのブラシ部分にスプレーすることにより除菌を行う除菌装置が開示されている。
【０００３】
この除菌装置によれば、除菌液として使用する電解水を生成して、歯ブラシの除菌を行うことができる。また、このように生成した電解液は、食べカスや汚れの分解機能を有しているので、歯ブラシの除菌に加えて、その洗浄も同時に行うことができるなどとの記載がなされている。
【考案の概要】
【考案が解決しようとする課題】
【０００４】
ところが、この特許文献１では、電解水だけを使用しているので、強力な除菌効果を得るとまではいかないものと推察される。その一方、強力な殺菌効果を得るには、わが国ではプール水の殺菌剤として使用されている次亜塩素酸などを使用されているが、この次亜塩素酸は発がん性物質であるトリハロメタンを副生成し、また耐性菌を生むことがあるため、歯ブラシの除菌に使用することはできない。
【０００５】
この点、二酸化塩素のうちの特に米国ＢＡＳＦ社製のセルトーレＧ（登録商標）は、活性酸素（発生期の酸素）で菌の細胞膜を破壊することにより塩素よりも数倍も強力な殺菌力があり、トリハロメタンや耐性菌の問題がなく、殺菌スペクトルが広く、多種多様菌に効果があり、多目的に使用でき、しかも通常使用濃度で安全とされている。そこで、二酸化塩素を歯ブラシの除菌に使用したいのであるが、この二酸化塩素は空気中で吸湿して使用期間が非常に短くなることから、その実用化にブレーキがかかっていた。
【０００６】
本考案は、このような事情に鑑みてなされたもので、従来の二酸化塩素製品の欠点である使用期間を長くして、その二酸化塩素による強力な殺菌力を利用することができるようにした除菌装置、除菌スプレー及び歯ブラシ除菌装置を提供することを目的とする。
【課題を解決するための手段】
【０００７】
第一の考案は、錠剤又は粉末状の二酸化塩素を水に溶かした状態で使用する除菌装置であって、水を封入した本体と、本体の所定部位に分離体を介して接続され、錠剤又は粉末状の二酸化塩素を伸張状態で封入した伸縮性容器と、を備え、前記伸縮性容器が縮小状態とされる動作に連動して前記分離体を破壊することにより該伸縮性容器内の二酸化塩素を前記本体内の水中に投入するようにしたことを特徴とするものである。
【０００８】
本第一の考案によれば、水を封入した本体と、本体の所定部位に分離体を介して接続され、錠剤又は粉末状の二酸化塩素を伸張状態で封入した伸縮性容器と、を備え、前記伸縮性容器が縮小状態とされる動作に連動して前記分離体を破壊することにより該伸縮性容器内の二酸化塩素を前記本体内の水中に投入するようにしたので、使用前に二酸化塩素が吸湿して使用期間が短くなるのを防止するとともに、使用時に二酸化塩素を水に溶かして所定濃度に調整することにより、従来の二酸化塩素製品の欠点である使用期間を長くして、その二酸化塩素による強力な殺菌力を利用するこのできるようになった。
【０００９】
また、前記伸縮性容器の前記本体との接続部と反対側に、該伸縮性容器が押圧されて縮小状態とされる動作により、前記分離体に突き刺さって該分離体を破壊するピンを備えることが好ましい。
【００１０】
この場合、前記伸縮性容器の前記本体との接続部と反対側に、該伸縮性容器が押圧されて縮小状態とされる動作により、前記分離体に突き刺さって該分離体を破壊するピンを備えたので、使用前に二酸化塩素が吸湿して使用期間が短くなるのを確実に防止することができる。
【００１１】
第二の考案は、前記請求項１又は２記載の除菌装置の本体として、前記二酸化塩素の水溶液を噴霧するスプレーノズルを備えたスプレー本体で構成し、前記伸縮性容器を該スプレー本体の上面に取り付けたことを特徴とする除菌スプレーに係るものである。
【００１２】
本第二の考案によれば、前記請求項１又は２記載の除菌装置の本体として、前記二酸化塩素の水溶液を噴霧するスプレーノズルを備えたスプレー本体で構成し、前記伸縮性容器を該スプレー本体の上面に取り付けたので、前記第一の考案と同様の作用効果を奏する除菌スプレーを得ることができる。
【００１３】
第三の考案は、前記請求項３記載の除菌スプレーに歯ブラシを立てかける歯ブラシ立てを備え、この歯ブラシ立てに立てかけた歯ブラシのブラシ部分に、前記スプレーノズルから噴霧された二酸化塩素の水溶液がかかるように構成したことを特徴とする除菌スプレーを用いた歯ブラシ除菌装置に係るものである。
【００１４】
本第三の考案によれば、前記請求項３記載の除菌スプレーに歯ブラシを立てかける歯ブラシ立てを備え、この歯ブラシ立てに立てかけた歯ブラシのブラシ部分に、前記スプレーノズルから噴霧された二酸化塩素の水溶液がかかるように構成したので、前記第一、第二の考案と同様の作用効果を奏する歯ブラシ除菌装置を得ることができる。
【００１５】
また、前記歯ブラシ立てが前記スプレー本体に収脱自在となるように、前記歯ブラシ立ての前記スプレー本体に対する取り付け角度を可変とすることが好ましい。
【００１６】
この場合、前記歯ブラシ立てが前記スプレー本体に収脱自在となるように、前記歯ブラシ立ての前記スプレー本体に対する取り付け角度を可変としたので、装置の保管スペースが少なくて済み、また同装置の持ち運び等に便利である。
【考案の効果】
【００１７】
本第一の考案によれば、水を封入した本体と、本体の所定部位に分離体を介して接続され、錠剤又は粉末状の二酸化塩素を伸張状態で封入した伸縮性容器と、を備え、前記伸縮性容器が縮小状態とされる動作に連動して前記分離体を破壊することにより該伸縮性容器内の二酸化塩素を前記本体内の水中に投入するようにしたので、使用前に二酸化塩素が吸湿して使用期間が短くなるのを防止するとともに、使用時に二酸化塩素を水に溶かして所定濃度に調整することにより、従来の二酸化塩素製品の欠点である使用期間を長くして、その二酸化塩素による強力な殺菌力を利用するこのできるようになった。
【００１８】
本第二の考案によれば、前記請求項１又は２記載の除菌装置の本体として、前記二酸化塩素の水溶液を噴霧するスプレーノズルを備えたスプレー本体で構成し、前記伸縮性容器を該スプレー本体の上面に取り付けたので、前記第一の考案と同様の作用効果を奏する除菌スプレーを得ることができる。
【００１９】
本第三の考案によれば、前記請求項３記載の除菌スプレーに歯ブラシを立てかける歯ブラシ立てを備え、この歯ブラシ立てに立てかけた歯ブラシのブラシ部分に、前記スプレーノズルから噴霧された二酸化塩素の水溶液がかかるように構成したので、前記第一、第二の考案と同様の作用効果を奏する歯ブラシ除菌装置を得ることができる。
【図面の簡単な説明】
【００２０】
【図１】本考案の一実施形態に係る除菌スプレーを用いた歯ブラシ除菌装置の全体構成を示す側面図である。
【図２】除菌スプレーの構成を示す説明図であって、（ａ）はＸ−Ｘ断面図、（ｂ）は側面図である。
【図３】除菌スプレーの伸縮性容器の詳細を示す説明図であって、（ａ）は平面図、（ｂ）は伸長時の側面図、（ｃ）は圧縮時の側面図である。
【図４】歯ブラシ立ての構成を示す説明図であって、（ａ）は平面図、（ｂ）は側面図である。
【考案を実施するための形態】
【００２１】
図１は本考案の一実施形態に係る歯ブラシ除菌装置１の全体構成を示す側面図である。図１に示すように、この歯ブラシ除菌装置１は、主として合成樹脂材料からなっており、二酸化塩素を発生させる除菌装置の一種である除菌スプレー２と、二酸化塩素による除菌対象となる歯ブラシ８とを備えている。歯ブラシ８は市販のものを使用すればよい。
【００２２】
図２は除菌スプレー２の構成を示す説明図であって、（ａ）はＸ−Ｘ断面図、（ｂ）は側面図である。図２（ａ）（ｂ）に示すように、この除菌スプレー２は、上面側に開口部２２と伸縮性容器３とを有し、内部に水Ｗを収納するボトル（除菌装置の本体、除菌スプレーのスプレー本体に相当する。）２１と、前記開口部２２に着脱自在に取り付けられるスプレーノズル６と、このスプレーノズル６からの噴霧を操作するためのレバー７と、前記ボトル２１内部で、上端が前記スプレーノズル６に取り付けられ、下端が前記ボトル２１の底面側に配置されるチューブ５と、前記ボトル２１の側壁に凹設された縦溝部２３に収脱自在に設けられた歯ブラシ立て４とを備えている。
【００２３】
図３は伸縮性容器３の詳細を示す説明図であって、（ａ）は平面図、（ｂ）は伸長時の側面図、（ｃ）は圧縮時の側面図である。図３（ａ）（ｂ）に示すように、この伸縮性容器３は、ベローズ状の本体３１と、前記本体３１の上端を塞ぐように設けられ、本体３１が伸長した状態では、針３３が本体３３内で下向きにて収納されるピン３２と、本体３１の下端に設けられ、上面に錠剤又は粉末状の二酸化塩素Ｍを保持可能な薄膜状の分離体３４とを備えている。なお、ピン３２の上面は、例えば赤色に着色しておくことにより、間違って押圧しないようにしておくことが好ましい。
【００２４】
この伸縮性容器３は、除菌スプレー２のボトル２１の上面側に前記分離体３４を介して接続されているが、その除菌スプレー２の使用前では、伸縮性容器３は、伸長状態であり、本体３３内部に、錠剤又は粉末状の二酸化塩素Ｍが封入されたものとなっている。
【００２５】
ここで、二酸化塩素Ｍとして、米国ＢＡＳＦ社製のセルトーレＧ（登録商標）を使用したいのであるが、このセルトーレＧは、もともと温泉施設などで殺菌剤として使用されている錠剤（タブレット）であり、たとえば１セット１２錠で１トンもの大量の水に投入するものとされている。しかも、セルトーレＧの錠剤は、所定の袋内に密封されており、使用時に袋をカットして取り出ようになっている。
【００２６】
しかし、セルトーレＧの錠剤を、除菌スプレー２で使用する場合には、そのような大量の水に投入するものではなく、しかも使用濃度が数ｐｐｍ程度といった非常に低い濃度で足りるので、錠剤単位で購入したのであれば、使用しない錠剤が大量に残ってしまう。そして、改めて使用しようとしても、そのときには空気中で吸湿して使用できなくなっていることが多い。
【００２７】
このため、本発明者は、セルトーレＧの錠剤を袋から取り出して破砕することにより粉末状にし、それを前記伸縮性容器３内に必要量だけ封入することで、空気中で吸湿して使用期間が非常に短くならないようにした。なお、不活性ガスを同時に封入しておけば、さらに使用期間を長くすることができる。
【００２８】
そして、除菌スプレー２の使用時に、伸縮性容器３の上端にあるピン３２を使用者が押圧して本体３１が縮小状態とされる動作に連動して、前記ピン３２の針３３が本体３１内で下がってきて、前記分離体３４に突き刺ささってこれを破壊することにより、伸縮性容器３内の粉末状の二酸化塩素Ｍをボトル２１内の水Ｗの中に投入するようになっている。
【００２９】
図４は歯ブラシ立ての構成を示す説明図であって、（ａ）は平面図、（ｂ）は側面図である。図４（ａ）（ｂ）に示すように、この歯ブラシ立て４の本体４１は、概ね縦長の角筒状であって、下端の丸みを帯びた部分に設けられた回転軸２４が、前記縦溝部２３の底部付近に設けられた長穴２５に嵌合している。したがって、歯ブラシ立て４は、この回転軸２４を中心として回動自在となっているのであるが、歯ブラシ８を立てていないときには、歯ブラシ立て４は、縦溝部２３内に完全に収容されており（図中の符号４ａで示す）、ロックがかかって、縦溝部２３から勝手に脱出しないようになっているものとする。
【００３０】
そして、歯ブラシ８を立てるときには、歯ブラシ立て４は、使用者がその上端に設けられた把持部４２を把持して若干持ち上げることにより前記ロックを外してから（図中の符号４ｂで示す）、同図中の時計まわりに角度θだけ回転させると、図４ｃで示すような傾斜状態となって上端が縦溝部２３から脱出したようになる。
【００３１】
そのようなロックとしては、上述のように、縦溝部２３の左右に設けた長穴２５に、歯ブラシ立て４の左右から突出させた回転軸２４を挿通するとともに、縦溝部２３の下端付近に局部的に設けた塞ぎ板２６を設けておけばよい。すなわち、長穴２５の下方に回転軸２４があるときは、この塞ぎ板２６が邪魔をして、歯ブラシ立て４は傾斜しない。一方、長穴２５の上方に回転軸２４がくると、歯ブラシ立て４は傾斜するようになる。ただし、前記傾斜角度θを超えて、歯ブラシ立て４が倒伏してしまわないように、ストッパを適宜設けている。そのようなストッパとしては、前記塞ぎ板２６の上端に、前記傾斜状態の歯ブラシ立て４の下部が当接するようにしておけばよい。
【００３２】
以下、本歯ブラシ除菌装置１の使用方法について説明する。
【００３３】
本歯ブラシ除菌装置１の除菌スプレー２は、ボトル２１の上面側に開口部２２と伸縮性容器３とを有しているが、その伸縮性容器３は伸長状態であり、本体３３内部に、錠剤又は粉末状の二酸化塩素Ｍが封入されたものとなっている。
【００３４】
使用者は、伸縮性容器３の上端を押圧してその本体３１を縮小させる。この動作に連動して、前記ピン３２の針３３が下がり、それを前記分離体３４に突き刺して破壊することにより、伸縮性容器３の本体３１内の二酸化塩素Ｍをボトル２１内の水Ｗの中に投入する。この二酸化塩素Ｍはあらかじめ粉末状としているから、ほとんど瞬時に溶解して使用可能な状態となる。
【００３５】
このときは、歯ブラシ立て４の本体４１は、図４（ａ）（ｂ）中の符号４ａで示すように、縦溝部２３内に完全に収容されており、前記ロックがかかって、縦溝部２３から勝手に脱出しないようになっている。したがって、図４（ａ）（ｂ）中の符号４ｂで示すように、歯ブラシ立て４の上端の把持部４２を把持して若干持ち上げることにより前記ロックを外してから、同図中の時計まわりに角度θだけ回転させると、図４（ａ）（ｂ）中の符号４ｃで示すような傾斜状態となって上端が縦溝部２３から脱出したようになる。
【００３６】
この傾斜状態の歯ブラシ立て４の本体４１内に、使用済みの歯ブラシ８の柄部分を挿入すると、そのブラシ部分がスプレーノズル６の正面にくるので、除菌スプレー２のレバー７を操作する。すると、スプレーノズル６から噴霧がなされ、その噴霧が歯ブラシ８のブラシ部分にかかって、除菌を行うことができる。
【００３７】
そして、除菌を終えた歯ブラシ８は、そのまま本装置１の歯ブラシ立て４に立てたまま保管しておくが、歯ブラシ８を立てていないときは、歯ブラシ立て４を上記と逆手順で除菌スプレー２の縦溝部２３に収納しておけば、その保管スペースが少なくて済み、また同装置１の持ち運び等に便利である。なお、図示はしていないが、歯ブラシ立て４は、除菌スプレー２のボトル２１から取り外して適宜タイミングで洗浄しておくことができるようになっているので、衛生的である。
【００３８】
以上説明したように、本実施形態の歯ブラシ除菌装置１によれば、水Ｗを封入した除菌スプレー２のボトル２１と、このボトル２１の所定部位に分離体３４を介して接続され、錠剤又は粉末状の二酸化塩素を伸張状態で封入した伸縮性容器３とを備え、前記伸縮性容器３が縮小状態とされる動作に連動して前記分離体３４を破壊することにより該伸縮性容器３内の二酸化塩素Ｍをボトル２１内の水Ｗの中に投入するようにしたので、使用前に二酸化塩素Ｍが吸湿して使用期間が短くなるのを防止するとともに、使用時に二酸化塩素Ｍを水に溶かして所定濃度に調整することにより、従来の二酸化塩素製品の欠点である使用期間を長くして、その二酸化塩素による強力な殺菌力を利用するこのできるようになった。
【００３９】
なお、上記実施形態では、誤操作を防止するために、伸縮性容器３のピン３２の上面を例えば赤色で着色しているが、伸縮性容器３を覆うようなカバーを装着しておけば、より確実に誤操作を防止できる。さらに、ボトル２１に凹部を設けておき、伸縮性容器３の本体３１をその凹部内に没入することにより、そのピン３２の上面をボトル２１の上端すれすれの位置にくるようにしておけば、さらに確実に誤操作を防止できる。
【００４０】
また、上記実施形態では、伸縮性容器３を除菌スプレーのボトル２２上に直立させて取り付けているが、スプレーノズル６やレバー７の邪魔にならないように、若干傾斜させて取り付けることもできる。
【００４１】
また、上記実施形態では、伸縮性容器３の本体３１内に二酸化塩素の錠剤を破砕して粉末状にしたものを封入したが、錠剤の大きさによっては、そのまま封入することもできる。
【００４２】
また、上記実施形態では、伸縮性容器３の本体３１をベローズ状にしているが、その伸縮性を出すための他の方法を採用することもできる。例えばシリンダ内にプランジャーを挿入させたような構成としてもよい。その場合には、ベローズのように凹凸がないので、その内部に二酸化塩素の粉末等が残存することなくほぼ完全に排出できる。
【００４３】
また、上記実施形態では、除菌スプレー２を用いた歯ブラシ除菌装置１を例示したが、この除菌スプレー２や伸縮性容器３は、それぞれ単独で除菌の必要とされるあらゆる分野に適用できる。例えば、除菌スプレー２は、ハンドクリーン用のスプレーとしての適用できる。また、二酸化塩素を、消臭・インフルエンザウイルス・花粉対策などに使用をする場合には、伸縮性容器３を、水を封入した容器の蓋に取り付けておけばよい。
【符号の説明】
【００４４】
１  歯ブラシ除菌装置
２  除菌スプレー（除菌装置の一種である。）
２１  ボトル（本体、スプレー本体に相当する。）
２２  開口部
２３  縦溝部
２４  回転軸（ロックとして機能する。）
２５  長穴（ロックとして機能する。）
２６  塞ぎ板（ロック、ストッパとして機能する。）
３  伸縮性容器
３１  本体
３２  ピン
３３  針
３４  分離体
４，４ａ〜４ｃ  歯ブラシ立て
４１  本体
４２  把持部
５  チューブ
６  スプレーノズル
７  レバー
８  歯ブラシ
Ｗ  水
Ｍ  二酸化塩素
【先行技術文献】
【特許文献】
【００４５】
【特許文献１】特開２００５−３１２４８８号公報
【図１】
0003178052.tif 000003
【図２】
0003178052.tif 000004
【図３】
0003178052.tif 000005
【図４】
0003178052.tif 000006